(57)【特許請求の範囲】
【請求項１】
窒化アルミニウムを主成分とし、窒化アルミニウム結晶の多結晶構造を有しており、前記窒化アルミニウム中に固溶したマグネシウムを酸化物換算で０．３重量％以上含有し、嵩密度が３．２５ｇ／ｃｍ３以上であり、エッチングレート（焼結体を、７３５℃に保持したチャンバ内に設置し、Ｃｌ２ガスを３００ｓｃｃｍ、Ｎ２ガスを１００ｓｃｃｍ流して、チャンバ内圧力を０．１ｔｏｒｒに保持した後、８００Ｗの電力を投入して、ＩＣＰ方式の高周波プラズマを発生させ、２時間暴露させた後の重量変化から求める。）が３．６μｍ／ｈｒ以下であり、ホットプレス焼成により製造された窒化アルミニウム質焼結体によって少なくとも腐蝕性ガスに対してさらされる耐蝕面が構成されていることを特徴とする、ハロゲン系腐食性ガス雰囲気下で使用される耐蝕性部材。
【請求項２】
マグネシウムを除く金属不純物量が６００ｐｐｍ以下であることを特徴とする、請求項１記載の耐蝕性部材。
【請求項３】
前記耐蝕性部材が前記窒化アルミニウム質焼結体からなることを特徴とする、請求項１又は２記載の耐蝕性部材。
【請求項４】
前記耐蝕性部材が、基体と、前記耐蝕面を構成する表面層とを備えており、前記表面層が、前記窒化アルミニウム質焼結体からなることを特徴とする、請求項１又は２記載の耐蝕性部材。
【請求項５】
前記基体の全表面が前記表面層によって被覆されていることを特徴とする、請求項４記載の耐蝕性部材。
【請求項６】
請求項１−５のいずれか一つの請求項に記載の耐蝕性部材と、この耐蝕性部材中に埋設されている金属部材とを備えていることを特徴とする金属埋設品。
【請求項７】
前記耐蝕性部材中に、前記金属部材として抵抗発熱体が埋設されており、前記耐蝕性部材に加熱面が設けられていることを特徴とする、請求項６記載の金属埋設品。
【請求項８】
前記金属部材として前記抵抗発熱体に加えて電極が埋設されており、前記抵抗発熱体と前記加熱面との間に前記電極が設けられていることを特徴とする、請求項７記載の金属埋設品。
【請求項９】
前記電極が、静電チャック電極と高周波発生用電極との少なくとも一方として機能することを特徴とする、請求項８記載の金属埋設品。
【請求項１０】
前記耐蝕性部材が前記窒化アルミニウム質焼結体からなることを特徴とする、請求項６−９のいずれか一つの請求項に記載の金属埋設品。
【請求項１１】
前記耐蝕性部材が、基体と、前記耐蝕面を構成する表面層とを備えており、前記表面層が前記窒化アルミニウム質焼結体からなることを特徴とする、請求項６−９のいずれか一つの請求項に記載の金属埋設品。
【請求項１２】
前記基体が窒化アルミニウムからなることを特徴とする、請求項１１記載の金属埋設品。
【請求項１３】
前記基体と前記表面層が一体焼結されていることを特徴とする、請求項１１又は１２記載の金属埋設品。
【請求項１４】
前記抵抗発熱体および前記電極が前記基体中に埋設されていることを特徴とする、請求項１１−１３のいずれか一つの請求項に記載の金属埋設品。
【請求項１５】
前記抵抗発熱体が前記基体中に埋設されており、前記電極が前記表面層中に埋設されていることを特徴とする、請求項１１−１３のいずれか一つの請求項に記載の金属埋設品。
【請求項１６】
半導体を保持する保持装置であって、ハロゲンガスプラズマに曝される耐蝕面と背面とを備えるサセプターを備えており、前記サセプターが、請求項１−５のいずれか一つの請求項に記載の耐蝕性部材からなることを特徴とする、半導体保持装置。
【請求項１７】
半導体を保持する保持装置であって、ハロゲンガスプラズマに曝される耐蝕面と背面とを備えるサセプターを備えており、前記サセプターが、請求項６−１５のいずれか一つの請求項に記載の金属埋設品からなることを特徴とする、半導体保持装置。
【請求項１８】
前記サセプターの前記背面に設けられており、前記サセプターからの熱流を制限する熱遮蔽部を備え、前記熱遮蔽部が前記窒化アルミニウム質焼結体によって構成されていることを特徴とする、請求項１６又は１７記載の半導体保持装置。
【請求項１９】
前記サセプターの前記背面に設けられており、前記サセプターを前記背面側から支持する支持部材を備え、前記支持部材が前記窒化アルミニウム質焼結体によって構成されていることを特徴とする、請求項１６又は１７記載の半導体保持装置。
【発明の詳細な説明】
【０００１】
【発明の属する技術分野】
本発明は、耐蝕性部材、金属埋設品および半導体保持装置に関するものである。
【０００２】
【従来の技術】
超ＬＳＩのメモリー容量の拡大に伴ない、微細加工化がますます進行するに従って、ケミカルな反応を必要とするプロセスが拡大してきている。特に、スーパークリーン状態を必要とする半導体製造用装置ではデポジション用ガス、エッチング用ガス、クリーニング用ガスとして、塩素系ガス、弗素系ガス等のハロゲン系腐蝕性ガスが使用されている。
【０００３】
これらの腐蝕性ガスに接触させた状態で加熱するための加熱装置として、例えば、熱ＣＶＤ装置等の半導体製造装置においては、デポジション後にＣｌＦ３、ＮＦ３、ＣＦ４、ＨＦ、ＨＣｌ等のハロゲン系腐蝕性ガスからなる半導体クリーニングガスを用いている。また、デポジション段階においても、ＷＦ６、ＳｉＨ２Ｃｌ２等のハロゲン系腐蝕性ガスを成膜用ガスとして使用している。
【０００４】
本出願人は、特願平３−１５０９３２号明細書 (１９９１年５月２８日出願) 、特願平４−５８７２７号明細書 (１９９２年２月１３日出願) において、表面にフッ化アルミニウム層を有する窒化アルミニウム焼結体が、上記のハロゲン系腐蝕性ガスのプラズマに対して高い耐蝕性を備えていることを開示した。即ち、例えばＣｌＦ３ガスに対して１時間窒化アルミニウム焼結体を曝露しても、その表面状態は変化が見られなかった。
【０００５】
また、本出願人は、窒化アルミニウム焼結体の表面に、ＣＶＤ法等の気相法によってフッ化アルミニウム膜を形成することを開示した（特開平５−２５１３６５号公報）。また、特開平７−２７３０５３号公報においては、半導体ウエハー用静電チャックの表面の腐食を防止するために、静電チャックの表面を、予めフッ素で置換する表面処理を施し、静電チャックの表面にＡｌＦ３を生成させておくことが開示されている。
【０００６】
【発明が解決しようとする課題】
本発明の課題は、窒化アルミニウム質焼結体の耐蝕性、特にハロゲン系腐食性ガスのプラズマに対する耐蝕性を、一層向上させることである。
【０００７】
【課題を解決するための手段】
本発明は、窒化アルミニウムを主成分とし、窒化アルミニウム結晶の多結晶構造を有しており、前記窒化アルミニウム中に固溶したマグネシウムを酸化物換算で０．３重量％以上含有し、嵩密度が３．２５ｇ／ｃｍ３以上であり、エッチングレート（焼結体を、７３５℃に保持したチャンバ内に設置し、Ｃｌ２ガスを３００ｓｃｃｍ、Ｎ２ガスを１００ｓｃｃｍ流して、チャンバ内圧力を０．１ｔｏｒｒに保持した後、８００Ｗの電力を投入して、ＩＣＰ方式の高周波プラズマを発生させ、２時間暴露させた後の重量変化から求める。）が３．６μｍ／ｈｒ以下であり、ホットプレス焼成により製造された窒化アルミニウム質焼結体に係るものである。
【０００８】
また、本発明は、前記窒化アルミニウム質焼結体によって少なくとも腐蝕性ガスに対してさらされる耐蝕面が構成されていることを特徴とする、ハロゲン系腐食性ガス雰囲気下で使用される耐蝕性部材に係るものである。
【０００９】
また、本発明は、前記耐蝕性部材と、耐蝕性部材中に埋設されている金属部材とを備えていることを特徴とする金属埋設品に係るものである。
【００１０】
また、本発明は、半導体を保持する保持装置であって、ハロゲンガスプラズマに曝される耐蝕面と背面とを備えるサセプターを備えており、前記サセプターが、前記耐蝕性部材からなることを特徴とする、半導体保持装置に係るものである。
【００１１】
また、本発明は、半導体を保持する保持装置であって、ハロゲンガスプラズマに曝される耐蝕面と背面とを備えるサセプターを備えており、前記サセプターが、前記金属埋設品からなることを特徴とする、半導体保持装置に係るものである。
【００１２】
本発明者は、窒化アルミニウム焼結体中にマグネシウムを含有させることによって、焼結体そのものの耐蝕性、特にハロゲン系腐食性ガスに対する耐蝕性が著しく向上することを発見し、本発明に到達した。
【００１３】
本発明の焼結体におけるアルミニウムの含有量は、窒化アルミニウム粒子が主相として存在し得るだけの量である必要があり、好ましくは３０重量％以上である。マグネシウムを酸化物換算で０．１重量％以上、更には０．５重量％以上添加したときに、耐蝕性の向上が特に顕著であった。また、０．５重量％以上添加したときに、焼結体の高抵抗化が顕著である。こうした高抵抗の窒化アルミニウム質焼結体は、例えばハロゲンプガスラズマに曝される環境下で使用されるヒーター、静電チャック、サセプターなどに特に好適である。なぜなら、高い耐蝕性と共に、リーク電流を阻止できるからである。
【００１４】
窒化アルミニウム質焼結体中におけるマグネシウムの含有量は、限定しない。しかし、酸化物に換算して、製造上は３０重量％以下とすることが好ましい。また、マグネシウムの含有量が増えると、焼結体の熱膨張係数が増大するので、本発明の窒化アルミニウム質焼結体の熱膨張係数を、マグネシウムを添加していない窒化アルミニウム質焼結体の熱膨張係数に近づけるためには、２０重量％以下とすることが好ましい。
【００１５】
本発明の窒化アルミニウム質焼結体は、ハロゲン系腐食性ガスのプラズマ、特に塩素プラズマ、フッ素プラズマを含むハロゲンガスプラズマに対して、高い耐蝕性を示した。
【００１６】
また、窒化アルミニウム質焼結体のマグネシウムの含有量を１重量％、更には５重量％以上とすることによって、焼結体の熱伝導率が著しく低下することを見いだした。こうした焼結体は、特に断熱効果を必要とする用途に対して好適である。熱伝導率低下の原因は、酸化マグネシウムが窒化アルミニウム粒子の格子中に固溶し、フォノンの散乱が大きくなるためと推察される。
【００１７】
焼結体の構成相は、窒化アルミニウム単相の場合と、酸化マグネシウム相が析出している場合とがある。窒化アルミニウム相単相の場合には、焼結体の熱膨張係数が、マグネシウムを含有しない窒化アルミニウム焼結体と近いため、従来の窒化アルミニウム焼結体と一体化させる場合に、熱応力が緩和されるし、酸化マグネシウム相が破壊の起点となることもない。
【００１８】
一方、酸化マグネシウム相が析出している場合には、耐蝕性が一層向上する。一般的には、絶縁体に第２相が分散している場合、第２相の抵抗率が低いと、全体の抵抗率が低下する。しかし、焼結体の構成相がＡｌＮ＋ＭｇＯの場合は、ＭｇＯ自身が体積抵抗率が高いため、全体的に体積抵抗率が低くなるという問題も起きない。
【００１９】
本発明の焼結体を製造する際には、Ｍｇの添加はＡｌＮの焼結を阻害する（窯業協会誌第８９号第６号  １９８１年  Ｐ３３０−３３６）ので、ホットプレス焼成、ホットアイソスタティックプレス焼成が望ましい。
【００２０】
半導体製造用途において、本発明の焼結体を、マグネシウムを含有しない窒化アルミニウム焼結体と一体化した場合には、この窒化アルミニウム焼結体中の金属不純物量は、１０００ｐｐｍ以下であることが好ましい。
【００２１】
本発明の焼結体を含む耐蝕性部材中に金属部材を埋設する場合には、この耐蝕性部材の被焼成体の内部に金属部材を埋設し、この被焼成体を５０ｋｇｆ／ｃｍ２以上の圧力下でホットプレス焼結させることが好ましい。
【００２２】
以下、本発明の焼結体を製造し、その各種特性を評価した。表１−表５の各実施例、比較例に従って、各窒化アルミニウム原料粉末、マグネシウム源を配合した。ＡｌＮ粉末は、還元窒化粉又は直接窒化粉であり、マグネシウム源は、酸化マグネシウム、Ｍｇ（ＮＯ３）２、ＭｇＣｌ２、ＭｇＳＯ４であった。必要に応じて、その他の添加助剤（Ｙ２Ｏ３、Ｃ、Ｌｉ）を秤量した。その後、イソプロピルアルコールを溶媒として、ポットミル混合し、乾燥し、各表に示す組成の混合粉を得た。実施例４５〜４８において、Ｌｉは硝酸Ｌｉを出発原料として、酸化物換算で０．１、０．３重量％となるように秤量し、同様に作製した。
【００２３】
各混合粉を、２００ｋｇｆ／ｃｍ２の圧力で一軸成形することにより、直径φ１００ｍｍの円盤状成形体を作製した。この成形体を黒鉛モールドに収納して、窒素雰囲気下でホットプレス焼成を行った。焼成時の最高温度を１７００〜２０００℃とし、最高温度での保持時間はいずれも４時間であった。得られた焼結体について以下に評価した。
【００２４】
（金属不純物量）  湿式化学分析による。
（高温体積抵抗率）  真空中において、ＪＩＳ２１４１に基づいた絶縁物の体積抵抗率測定法による。
（外観）  目視による。
（熱伝導率）  レーザーフラッシュ法による。
（嵩密度）  純水を媒体としたアルキメデス法による。
（ＣＴＥ）  窒素中、室温から８００℃までの熱膨張における平均膨脹係数。５℃／分で昇温した。
（構成相）  ＸＲＤにより確認した。２θ＝２０−８０度（エッチングレート）焼結体を、７３５℃に保持したチャンバ内に設置し、Ｃｌ２ガスを３００ｓｃｃｍ、Ｎ２ガスを１００ｓｃｃｍ流して、チャンバ内圧力を０．１ｔｏｒｒに保持した後、８００Ｗの電力を投入して、ＩＣＰ方式の高周波プラズマを発生させ、２時間暴露させた後の重量変化から求めた。
【００２５】
【表１】
0004641569.tif 000002
【００２６】
【表２】
0004641569.tif 000003
【００２７】
【表３】
0004641569.tif 000004
【００２８】
【表４】
0004641569.tif 000005
【００２９】
【表５】
0004641569.tif 000006
【００３０】
比較例１−４は、還元窒化粉または直接窒化粉を使用しており、炭素またはイットリアを助剤として添加している。比較例５−７及び実施例８、９は、還元窒化粉を使用し、酸化マグネシウムを０．１−１０重量％添加しているが、エッチングレートが著しく減少しており、熱伝導率が低下し、高温における体積抵抗率も上昇することがわかった。
【００３１】
比較例１０、１５及び実施例１１−１４、１６−１９、２０−２３は、比較例５−７及び実施例８、９に対して、焼成温度を変化させたものであるが、同様の結果を得た。比較例２４−２６、２８及び実施例２７、２９−３７は、直接窒化粉を使用したものであるが、やはり同様の結果を得ている。実施例３９−４１は、焼成前の原料として、酸化マグネシウムの代わりに硝酸塩、塩化物、硫酸塩を使用したものであるが、酸化マグネシウムの場合と同様の結果を得た。実施例４２−４５は、マグネシウム以外にリチウムを添加したものである。マグネシウム以外のリチウムの含有量は、０．５重量％以下であることが好ましい。
【００３２】
本発明の窒化アルミニウム質焼結体は、その高い耐蝕性から、各種の耐蝕性部材、特にハロゲン系腐食性ガスに対する耐蝕性を必要とする耐蝕性部材に適しており、特に半導体製造装置用のサセプター等の耐蝕性部材に適している。また、この耐蝕性部材中に金属部材を埋設してなる金属埋設品に対して好適である。耐蝕性部材としては、例えば半導体製造装置中に設置されるサセプター、リング、ドーム等に好適である。サセプター中には、抵抗発熱体、静電チャック電極、高周波発生用電極等を埋設できる。
【００３３】
例えば図１（ａ）に示すように、本発明の耐蝕性部材１Ａの全体が、本発明の焼結体からなっている。２は、主としてハロゲン系腐食性ガスに対してさらされる耐蝕面である。
【００３４】
また、例えば図１（ｂ）に示すように、耐蝕性部材１Ｂが、基体３と、基体３の表面の少なくとも一部を覆う表面層４とを備えている。この場合には、表面層４が、本発明の焼結体からなる。基体３は、好ましくはセラミックスからなり、特に好ましくは、マグネシウムを含有しない窒化アルミニウム焼結体からなる。半導体製造用途においては、耐蝕性部材の一部を構成する窒化アルミニウムは、アルミニウム以外の金属元素の含有量が１０００ｐｐｍ以下であることが好ましい。
【００３５】
また、耐蝕性部材の全周ないし全表面にわたって、高い耐蝕性が要求される場合には、図１（ｃ）に示す耐蝕性部材１Ｃのように、基体５の全表面が表面層６によって被覆されており、表面層６が本発明の焼結体からなる。
【００３６】
以下、特に金属埋設品に対して本発明を適用した実施形態について更に述べる。
【００３７】
耐蝕性部材中に埋設される金属部材、特に導電性機能部品は、印刷によって形成された導電性膜であってもよいが、面状の金属バルク材であることが特に好ましい。ここで、「面状の金属バルク材」とは、金属線や金属板を、一体の二次元的に延びるバルク体として形成したものを言う。
【００３８】
金属部材は、高融点金属で形成することが好ましく、こうした高融点金属としては、タンタル、タングステン、モリブデン、白金、レニウム、ハフニウム及びこれらの合金を例示できる。被処理物としては、半導体ウエハーの他、アルミニウムウエハー等を例示できる。
【００３９】
本発明の金属埋設品は、耐蝕性部材と、この中に埋設された金属部材からなる。一実施形態においては、耐蝕性部材の全体が、本発明の焼結体からなる。図２はこの実施形態に係るサセプターを概略的に示す断面図であり、図３は抵抗発熱体の埋設パターンを示す模式図である。
【００４０】
金属埋設品１０Ａの耐蝕性部材１７中には、コイル状の抵抗発熱体７および電極９が埋設されている。抵抗発熱体７は背面８側に埋設されており、電極９は加熱面２側に埋設されている。抵抗発熱体７の平面的な埋設形状は、図３に模式的に示すようにした（図３では巻回体のパターンのみを示している）。即ち、モリブデン線を巻回して巻回体を得、巻回体の両端に端子１８Ａ、１８Ｂを接合した（図２では端子を図示しない）。
【００４１】
抵抗発熱体７の全体は、図３において紙面に垂直な線に対して、ほぼ線対称に配置されている。互いに直径の異なる複数の同心円状部分７ａが、線対称をなすように配置されており、同心円の直径方向に隣り合う各同心円状部分７ａが、それぞれ連結部分７ｄによって連絡している。最外周の同心円状部分７ａが、連結部分７ｂを介して、ほぼ一周する円形部分７ｃに連結されている。
【００４２】
電力供給用の高周波電源１１を、電線１２、１４を介して抵抗発熱体７に接続し、かつアース１５に接続した。電極９も電線１３を介してアース１５に接続した。
【００４３】
（実施例４６）図２、図３に示す形態のサセプター１０Ａを作製した。具体的には、イソプロピルアルコール中に、所定量の還元窒化法により得られた窒化アルミニウム粉末と、ＭｇＯ粉末１．０重量％と、アクリル系樹脂バインダーを適量添加し、ポットミルで混合後、噴霧造粒装置によって乾燥造粒し、造粒顆粒を得た。この造粒顆粒の中に、モリブデン製のコイル状の抵抗発熱体７および電極９を埋設した。電極９としては、直径φ０．４ｍｍのモリブデン線を、１インチ当たり２４本の密度で編んだ金網を使用した。端子１８Ａ、１８Ｂは、共に一つの保護管（図示しない）内に収容した。この状態で顆粒を一軸加圧成形し、円盤状の成形体を得た。
【００４４】
この成形体をホットプレス型中に収容し、密封した。昇温速度３００℃／時間で温度を上昇させ、この際、室温〜１０００℃の温度範囲で減圧を行った。この温度の上昇と同時に、圧力を上昇させた。最高温度を１８００℃とし、最高温度で４時間保持し、ホットプレス圧力を２００ｋｇｆ／ｃｍ２とし、窒素雰囲気下で焼成し、焼結体を得た。この焼結体を機械加工し、さらに仕上加工してサセプターを得た。基体の直径をφ２４０ｍｍとし、厚さを１８ｍｍとし、抵抗発熱体と加熱面との間隔を６ｍｍとした。
【００４５】
このサセプターについて、耐蝕性試験を行った。サセプターを、ハロゲンガス雰囲気下（塩素ガス：３００ｓｃｃｍ、窒素ガス：１００ｓｃｃｍ、チャンバ内圧力０．１ｔｏｒｒ）のチャンバー内におき、抵抗発熱体に電力を投入し、加熱面の温度を７３５℃に保持し、誘導結合プラズマ方式の高周波プラズマを加熱面上に発生させ、２４時間暴露させた後の重量変化から、エッチレートを求めた。この結果、エッチレートは２．３μｍ／ｈｒであった。
【００４６】
（比較例４７）実施例４６と同様にして加熱装置を作製し、上記と同様の実験を行った。ただし、原料は窒化アルミニウムのみとし、ＭｇＯ粉末は加えなかった。この結果、エッチレートは４．８μｍ／時間であった。
【００４７】
本発明の他の実施形態に係る金属埋設品では、耐蝕性部材が、基体と、基体の表面の少なくとも一部を覆う表面層とを備えている。この場合、表面層を、本発明の焼結体によって形成でき、これによって最も高い耐蝕性が得られる。この場合には、好ましくは、基体が窒化アルミニウムからなり、更には窒化アルミニウム中に含有されているアルミニウム以外の金属の含有量が１０００ｐｐｍ以下である。
【００４８】
また、別の実施形態においては、耐蝕性部材が、基体と、基体の表面の少なくとも一部を覆う表面層とを備えており、基体が、本発明の焼結体からなる。この場合には、基体側の熱伝導率を減少させて熱の逃げを抑えることができ、また基体側の高温時の体積抵抗率が高いことから、基体側への電流の漏れを防止できる。この場合には、好ましくは、表面層が窒化アルミニウムからなり、更には窒化アルミニウム中に含有されているアルミニウム以外の金属の含有量が１０００ｐｐｍ以下である。
【００４９】
また、いずれの場合においても、基体と表面層とが一体焼結されていることが好ましい。この場合には、基体と表面層との熱膨張係数差による応力を緩和するためには、本発明の焼結体中におけるマグネシウムの含有量（酸化物換算値）を、５重量％以下とすることが好ましい。
【００５０】
好ましくは、抵抗発熱体は基体中に埋設されており、電極は、基体中または表面層中に埋設されている。
【００５１】
図５、図６は、それぞれ、本実施形態に係る各金属埋設品１０Ｃ、１０Ｄを概略的に示す断面図である。図５においては、基体２１中に抵抗発熱体７および電極９が埋設されており、電極９と加熱面２との間に表面層２２が形成されている。図６においては、基体２３中に抵抗発熱体７が埋設されており、表面層２４中に電極９が埋設されている。
【００５２】
本発明の他の実施形態においては、金属部材が、本発明の焼結体からなる中間層中に埋設されており、特に好ましくは、電極が中間層中に埋設されている。これによって、電極からのリーク電流、特に抵抗発熱体等の他の金属部材と電極との間のリーク電流を防止できる。
【００５３】
図７は、この実施形態に係る金属埋設品１０Ｅを概略的に示す断面図である。この金属埋設品１０Ｅにおいては、耐蝕性部材４０の基体２５に抵抗発熱体７が埋設されており、抵抗発熱体７と加熱面２との間に中間層２６が設けられている。中間層２６中には電極９が埋設されている。なお、本例では、中間層２６の全体が基体２５中に埋設されているが、中間層２６の端部が耐蝕性部材４０の表面に露出していてよい。
【００５４】
また、本発明に係る半導体保持装置は、ハロゲンガスプラズマに曝される耐蝕面と背面とを備えるサセプターと、サセプターの背面に設けられており、サセプターからの熱流を制限する熱遮蔽部とを備えており、前記熱遮蔽部の少なくとも一部が、本発明の焼結体によって構成されている。サセプターとしては、前述の各サセプターないし金属埋設品を使用できる。また、特に好ましくは、サセプターは、マグネシウムを含有しない窒化アルミニウムまたは本発明の窒化アルミニウム質焼結体からなる。
【００５５】
最近、半導体素子を得るためのウエハーの口径を大きくし、あるいは液晶パネルを大型化しようという要望が高まっており、このためにサセプターの大型化が求められている。このため、サセプターの直径は、例えば直径φ３００ｍｍ以上とすることが求められてきている。しかし、サセプターの直径が大きくなると、加熱面の温度の均一性を保持することが非常に困難になってきている。なぜなら、加熱面の温度分布にむらが生ずると、不良品が発生するからである。熱遮蔽部を設けることによって、サセプターを大型化した場合に、加熱面の温度の均一性を図れる。
【００５６】
図８は、この実施形態に係るサセプターを概略的に示す断面図である。金属埋設品であるサセプター１０Ａの構成は、前述したものと同じである。このサセプター１０Ａの背面８側に、熱遮蔽部２８が設けられている。熱遮蔽部２８は、チャンバーの外壁３０に対してＯリング２９を介して取り付けられている。熱遮蔽部２８の中央には中空部２８ａが設けられており、外壁３０にも貫通孔３０ａが設けられており、中空部２８ａと貫通孔３０ａとが連通しており、これらの中に電線が収容されている。サセプターの耐蝕面２側の空間３２にはハロゲン系腐食性ガスが流され、チャンバー外壁３０の外側空間３１は通常は大気にさらされている。
【００５７】
図９は、本発明の他の実施形態に係る半導体保持装置を概略的に示す断面図である。ただし、図８に示したものと同じ部分には同じ符号を付け、その説明は省略する。本例では、熱遮蔽部２８Ａとサセプター１０Ａの背面８との間には、例えばモリブデン製のリング状のスペーサー３４が介在している。スペーサー３４と背面８、およびスペーサー３４と熱遮蔽部２８Ａとの間は、それぞれ接着層３５によって接着されている。
【００５８】
また、本発明の半導体保持装置は、サセプターの背面に設けられており、サセプターをその背面側から支持する支持部材を備えている。図１０は、この実施形態に係る半導体保持装置を概略的に示す断面図である。
【００５９】
サセプター１０Ａの背面８に、支持管４４が設けられている。支持管４４は、本体４４ｃと、本体４４ｃの一方の端部に設けられているフランジ部４４ａと、本体の反対側の端部に設けられているフランジ部４４ｄとを備えている。本体４４ｃからフランジ部４４ａへと向かって、徐々に直径が大きくなるように拡径部４４ｂが設けられている。支持管４４のフランジ部４４ａが、サセプターの背面に対して接合されている。
【図面の簡単な説明】
【図１】（ａ）、（ｂ）、（ｃ）は、それぞれ、本発明の耐蝕性部材を示す断面図である。
【図２】本発明の一実施形態に係る金属埋設品１０Ａを概略的に示す断面図である。
【図３】図２の金属埋設品１０Ａにおける抵抗発熱体７の埋設パターンを示す断面図である。
【図４】本発明の他の実施形態に係る金属埋設品１０Ｂを概略的に示す断面図である。
【図５】本発明の更に他の実施形態に係る金属埋設品１０Ｃを概略的に示す断面図である。
【図６】本発明の更に他の実施形態に係る金属埋設品１０Ｄを概略的に示す断面図である。
【図７】本発明の更に他の実施形態に係る金属埋設品１０Ｅを概略的に示す断面図である。
【図８】本発明の一実施形態に係る半導体保持装置を概略的に示す断面図である。
【図９】本発明の他の実施形態に係る半導体保持装置を概略的に示す断面図である。
【図１０】本発明の更に他の実施形態に係る半導体保持装置を概略的に示す断面図である。
【符号の説明】
１Ａ、１Ｂ、１Ｃ、１７ 耐蝕性部材，２ 加熱面（耐蝕面），３、５、２１、２３ 基体，４、６、２２、２４ 表面層，７ 抵抗発熱体，８背面，９ 電極，１０Ａ、１０Ｂ、１０Ｃ、１０Ｄ、１０Ｅ 金属埋設品，１１ 高周波電源，２０、２６ 高抵抗層（中間層）
【図１】
0004641569.tif 000007
【図２】
0004641569.tif 000008
【図３】
0004641569.tif 000009
【図４】
0004641569.tif 000010
【図５】
0004641569.tif 000011
【図６】
0004641569.tif 000012
【図７】
0004641569.tif 000013
【図８】
0004641569.tif 000014
【図９】
0004641569.tif 000015
【図１０】
0004641569.tif 000016